(57)【要約】      （修正有）【課題】遠赤外線効果と電磁波効果を空気流のほとんど全体に及ぼし、毛髪の潤い感とツヤ感を高め、しっとりサラサラでまとまりのある髪に仕上げることができるヘアドライヤーを提供する。【解決手段】空気吹出口１５部分にディフューザ４等の整風部材が設けられているヘアドライヤーにおいて、整風部材の表面に、遠赤外線放射材料パウダーと多元素鉱物ミネラルパウダーを混合した混合パウダーをコーティングしたセラミックスコーティング層が設けられている。【選択図】図１
0003175257.tif 000002
【実用新案登録請求の範囲】
【請求項１】
空気吸入口（１０）から空気吹出口（１５）に至る流路内にヒータ（２）が設けられ、前記空気吹出口（１５）部分に整風部材（４）が設けられているヘアドライヤーにおいて、
前記整風部材（４）の表面に、遠赤外線放射材料パウダーと多元素鉱物ミネラルパウダーを混合した混合パウダーをコーティングしたセラミックスコーティング層（４９）が設けられていることを特徴とするヘアドライヤー。
【請求項２】
請求項１記載のヘアドライヤーにおいて、前記空気吹出口（１５）に吹出ノズル（３）が着脱可能に設けられ、この吹出ノズル（３）の内表面に、遠赤外線放射材料パウダーと多元素鉱物ミネラルパウダーを混合した混合パウダーをコーティングしたセラミックスコーティング層（３９）が設けられているヘアドライヤー。
【請求項３】
請求項２記載のヘアドライヤーにおいて、前記空気吹出口（１５）と吹出ノズル（３）との間に中間ノズル（５）が着脱可能に設けられると共に、この中間ノズル（５）の内部に整風部材（５１）、（５２）が設けられ、この中間ノズル（５）の内表面及び前記整風部材（５１）、（５２）の表面に、遠赤外線放射材料パウダーと多元素鉱物ミネラルパウダーを混合した混合パウダーをコーティングしたセラミックスコーティング層（５９）が設けられているヘアドライヤー。
【考案の詳細な説明】
【技術分野】
【０００１】
本考案は、毛髪を乾燥または、ブローセットするときに使用するヘアドライヤーに係り、特に、遠赤外線放射材料パウダーから放射される遠赤外線と、多元素鉱物ミネラルパウダーから放射される電磁波（微弱エネルギー）によって毛髪や頭皮の効果的なケアができるようにしたヘアドライヤーに関する。
【背景技術】
【０００２】
ヘアドライヤーは、吹き出し口から吹き出す温風や冷風を毛髪に当てて乾燥または、ブローセットまでの時間が長くかかるものであるが、単に温風や冷風を吹き出すだけのものではブローセットを効果的に行なうことができず、毛髪の乾燥からブローセットまでの時間が長くかかる。また、ヘアカラーの定着が悪い上に毛髪の潤い感やツヤ感も悪いなどの問題があった。
【０００３】
上記の問題を解決するために、本出願人において、流路の内表面に遠赤外線放射材料パウダーと多元素鉱物ミネラルパウダーを混合した混合パウダーをコーティングしたセラミックスコーティング層を設けたヘアドライヤーを既に提案している（特許文献１参照）。
【先行技術文献】
【特許文献】
【０００４】
【特許文献１】実用新案登録第３０９７７５８号公報
【考案の概要】
【考案が解決しようとする課題】
【０００５】
前記した従来のヘアドライヤーは、確かに、セラミックスコーティング層から放射される遠赤外線と、電磁波によって毛髪や頭皮のケアができるものであるが、セラミックスコーティング層が流路の内表面に設けられているため、空気流の中央部分ではセラミックスコーティング層に対しての空気の接触が不十分になり、十分な効果が得られていないという問題を残していた。
【０００６】
ヘアドライヤーには、空気吹出口に整風部材（例えば、ディフューザ、整風板）が設けられ、この整風部材によって空気流の拡散を抑え整風して吹き出させるようになっている。
即ち、空気吹出口から吹き出される空気流は、整風部材に触れることで拡散が抑えられ整風されるもので、言い換えれば、空気流のほとんど全部が整風部材に触れてから吹き出されることになる。
【０００７】
本考案は、このような整風部材に着目し、この整風部材の表面にセラミックスコーティング層を設けることにより、セラミックスコーティング層から放射される遠赤外線効果と電磁波効果を空気流のほとんど全体に及ぼし、毛髪の潤い感とツヤ感を高め、しっとりサラサラでまとまりのある髪に仕上げることができるヘアドライヤーを提供することを課題としている。
【課題を解決するための手段】
【０００８】
前記の課題を解決するため、本考案（請求項１）のヘアドライヤーは、
空気吸入口（１０）から空気吹出口（１５）に至る流路内にヒータ（２）が設けられ、前記空気吹出口（１５）部分に整風部材（４）が設けられているヘアドライヤーにおいて、
前記整風部材（４）の表面に、遠赤外線放射材料パウダーと多元素鉱物ミネラルパウダーを混合した混合パウダーをコーティングしたセラミックスコーティング層（４９）が設けられている構成とした。
【０００９】
本考案（請求項２）のヘアドライヤーは、
請求項１記載のヘアドライヤーにおいて、前記空気吹出口（１５）に吹出ノズル（３）が着脱可能に設けられ、この吹出ノズル（３）の内表面に、遠赤外線放射材料パウダーと多元素鉱物ミネラルパウダーを混合した混合パウダーをコーティングしたセラミックスコーティング層（３９）が設けられている構成とした。
【００１０】
本考案（請求項３）のヘアドライヤーは、
請求項２記載のヘアドライヤーにおいて、前記空気吹出口（１５）と吹出ノズル（３）との間に中間ノズル（５）が着脱可能に設けられると共に、この中間ノズル（５）の内部に整風部材（５１）、（５２）が設けられ、この中間ノズル（５）の内表面及び前記整風部材（５１）、（５２）の表面に、遠赤外線放射材料パウダーと多元素鉱物ミネラルパウダーを混合した混合パウダーをコーティングしたセラミックスコーティング層（５９）が設けられている構成とした。
【考案の効果】
【００１１】
セラミックスコーティング層の構成素材である遠赤外線放射材料パウダーから放射される遠赤外線は、毛髪内部から温めることができるため、外部からだけの加熱と異なり短い時間で毛髪の乾燥やブローセットが可能になる。
【００１２】
又、多元素鉱物ミネラルパウダーから放射される４〜１４μの波長の電磁波（微弱エネルギー）には、原子の核の周囲を電気的に変化させて原子、さらにその物質を励起状態（振動）にし、その結果、水のクラスター（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００１３】
そこで、この電磁波（微弱エネルギー）を温風又は冷風として毛髪や頭皮に当てることにより、毛髪や頭皮中の水分をミネラル化して毛髪や頭皮の中の蛋白質を活性化し、常に健康毛でツヤのある毛髪とすることができる。
また、前記電磁波を温風又は冷風として毛髪や頭皮に当てることにより、ヘアカラー、パーマなどの薬液等により損傷した毛髪やセットしにくい毛髪に対してもきれいにセットすることができる。
また、ヘアカラー、酸性カラー等の施術に際しても電磁波の作用であるクラスター現象（水の分子を小さくさせる力）によりヘアカラー、酸性カラーの定着がよくなる。
【００１４】
本考案（請求項１）のヘアドライヤーは、空気吹出口部分に設けた整風部材の表面に、遠赤外線放射材料パウダーと多元素鉱物ミネラルパウダーを混合した混合パウダーをコーティングしたセラミックスコーティング層を設けた構成に特徴がある。
【００１５】
即ち、空気吹出口から吹き出される空気流は、そのほとんど全部が整風部材に触れてから吹き出されるため、この整風部材の表面に設けたセラミックスコーティング層から放射される遠赤外線効果と電磁波効果を空気流のほとんど全体で受けることができ、毛髪や頭皮にダメージを与えることがなく、毛髪の潤い感とツヤ感を高め、しっとりサラサラでまとまりのある髪に仕上げることができる。
【００１６】
本考案（請求項２）のヘアドライヤーは、空気吹出口に着脱可能に設けた吹出ノズルの内表面にセラミックスコーティング層を設けた態様である。
本考案（請求項３）のヘアドライヤーは、空気吹出口と吹出ノズルとの間に着脱可能に設けた中間ノズルの内表面、及びその中間ノズルの内部に設けた整風部材の表面にセラミックスコーティング層を設けた態様である。
このように、吹出ノズルや中間ノズルにもセラミックスコーティング層を設けることにより、遠赤外線効果と電磁波効果をより一層多く受けることができる。
【図面の簡単な説明】
【００１７】
【図１】本考案の実施例１にかかるヘアドライヤーの要部を示す切欠側面図。
【図２】図１のＡ−Ａ断面図で、整風部材の断面図。
【図３】本考案の実施例２にかかるヘアドライヤーの要部を示す断面図。
【図４】図２のＢ−Ｂ断面図で、中間ノズルの断面図。
【考案を実施するための形態】
【実施例１】
【００１８】
図１で示す実施例１のヘアドライヤーは、ボディ本体１と、ヒータ２と、吹出ノズル３、を主要な構成としている。
このヘアドライヤーは耐熱性プラスチック材料で形成されている。
【００１９】
前記ボディ本体１は、内部にファン（図示せず）を設け、ファンの両側に空気吸入口１０が形成されている。
また、ボディ本体１には柄部１１が形成され、使用時に手で持てるように形成されている。この柄部１１には温風と冷風の切換や風量や温度等を切り替えるための切換スイッチ１２が設けられている。
【００２０】
前記ボディ本体１には接続筒部１３が形成され、この接続筒部１３の外周に吹出用筒体１４が嵌め込まれ、この吹出用筒体１４の先端部が空気吹出口１５に形成されている。
【００２１】
前記ヒータ２は、ファンから送られてきた空気を加熱するためのもので、十字状に形成した雲母板２０の外周にニクロム線２１が巻き付けられ、これを筒状雲母体２２の内部に挿入することで形成されている。
前記筒状雲母体２２の基端部は前記接続筒部１３の内周に嵌め込まれ、先端部は前記吹出用筒体１４の先端内部に嵌合するように形成されている。
【００２２】
空気吹出口１５部分となる前記筒状雲母体２２の先端部に整風部材としてのディフューザ４が取り付けられている。
このディフューザ４は、図２に示すように、中央に円形枠４１が形成され、その外周８方向に放射状板４２が等間隔で突設されると共に、放射状板４２にそれぞれ小孔４３が形成され、前記円形枠４１の内部、放射状板４２、４２間の空隙、小孔４３を空気流が通過することで、空気流の拡散を抑え整風して吹き出させるようになっている。
【００２３】
そして、前記ディフューザ４の表面に、遠赤外線放射材料パウダーと多元素鉱物ミネラルパウダーを混合した混合パウダーをコーティングしたセラミックスコーティング層４９が設けられている。
本実施例では、前記ディフューザ４の前面部分に整風部材としての吹出グリル６が取り付けられており、この吹出グリル６の表面にも同様のセラミックスコーティング層（図示省略）が設けられている。
尚、整風部材としては、必ずしもディフューザ４と吹出グリル６を併用する必要はなく、いずれか一方でもよい。
【００２４】
前記セラミックスコーティング層４９は、遠赤外線パウダーと多元素鉱物ミネラルパウダーを混合した混合パウダーをコーティング剤である耐熱性フォーマイカに加えて塗料状にしたものを塗布し、これを加熱炉に通してコーティング剤を飛ばして（焼き付けて）形成している。混合パウダーの混合割合は、容積比で３〜１５％が望ましいが数値は変わってもよい。
【００２５】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたものを使用する。これらのパウダーは毛髪や頭皮の吸収に適した波長の遠赤外線を放射するようにブレンドして使用する。
【００２６】
また、多元素鉱物とは、例えば真珠岩、松脂岩やトルマリン（電気石）のように珪素を主成分とし、多数の元素がバランスよく含まれている鉱物をいい、この鉱物は前記電磁波（微弱エネルギー）を出し、これを温風又は冷風として毛髪に当てると、毛髪中の水分をミネラル化して毛髪中の蛋白質を活性化する。
この多元素鉱物は、例えば、真珠岩をボールミル等で粉砕して多元素鉱物ミネラルパウダーを形成する。この場合の粉砕数値は１〜３ミクロンが望ましいが数値は変わってもよい。
多元素鉱物ミネラルパウダーは２種類以上を適宜配合して使用することが好ましい。この多元素鉱物ミネラルパウダーはそのまま使用してもよいし、これを水と混合し、加熱又は加圧した後、上澄み液を真空凍結乾燥や噴射乾燥により粉末にしたものを使用してもよい。
尚、真珠岩は下記の表１で示す成分からなるものである。
【００２７】
【表１】
0003175257.tif 000003
【００２８】
前記ノズル３は、前記吹出用筒体１４の先端部外周に着脱可能に嵌合して装着されるもので、その内表面には前記したセラミックスコーティング層４９と同様のセラミックスコーティング層３９が設けられている。
【００２９】
したがって、本実施例のヘアドライヤーでは、切換スイッチ１２を入れて、ニクロム線２１に通電したのちファンを回すとニクロム線２１で加熱された空気が空気吹出口１５から吹き出す。冷風の場合はニクロム線２１に通電せずにファンで送風のみを行なう。
【００３０】
このようにして空気吹出口１５から吹き出される空気流は、整風部材としてのディフューザ４、吹出グリル６によって拡散を抑えられ整流されるもので、このとき、空気流のほとんど全部がディフューザ４、吹出グリル６に触れてから吹き出されるため、表面に設けたセラミックスコーティング層４９から放射される遠赤外線効果と電磁波効果を空気流のほとんど全体で受けることができ、毛髪や頭皮にダメージを与えることがなく、毛髪の潤い感とツヤ感を高め、しっとりサラサラでまとまりのある髪に仕上げることができる。
【００３１】
又、空気吹出口１５に吹出ノズル３を取り付けて使用すると、この吹出ノズル３の内表面に設けたセラミックスコーティング層３９によって遠赤外線効果と電磁波効果をより一層多く受けることができる。
【実施例２】
【００３２】
図３で示す実施例２は、空気吹出口１５と吹出ノズル３との間に中間ノズル５を着脱可能に設けた例である。
【００３３】
この中間ノズル５は、基端内周を吹出用筒体１４の先端部外周に嵌め込み、先端部外周に吹出ノズル３の基端内周が嵌め込まれる状態に着脱可能に装着されるもので、その内部に整風部材が設けられている。
その整風部材は、図４に示すように、中間ノズル５の内部を円周方向に６等分に区画（完全区画ではなく部分的に連通している）する整風板５１と、中間ノズル５の先端内部に設けた２重円クリル枠５２とで形成されている。
そして、前記中間ノズル５の内表面、整風板５１及び２重円グリル枠５２の表面にも前記セラミックスコーティング層４９と同様のセラミックスコーティング層５９が設けられている。
【００３４】
この中間ノズル５を取り付けて使用すると、セラミックスコーティング層５９によって遠赤外線効果と電磁波効果をより一層多く受けることができる。
【００３５】
以上、本考案の実施例を図面に基づいて説明してきたが、具体的な構成はこの実施例に限定されるものではなく、本考案の要旨を逸脱しない範囲における設計変更等があっても本考案に含まれる。
【００３６】
例えば、整風部材について、ディフューザやグリルや整風板等を用いているが、その構造や個数等については適宜に決定でき、要は空気流の拡散抑制作用と、整流作用を有するものであれば本考案で言う整風部材に含めるものとする。
【符号の説明】
【００３７】
１  ボディ本体
１０  空気吸入口
１５  空気吹出口
２  ヒータ
３  吹出ノズル
３９  セラミックスコーティング層
４  ディフューザ（整風部材）
４９  セラミックスコーティング層
５  中間ノズル
５１  整風板（整風部材）
５２  ２重円グリル枠（整風部材）
５９  コーティングしたセラミックスコーティング層
【図１】
0003175257.tif 000004
【図２】
0003175257.tif 000005
【図３】
0003175257.tif 000006
【図４】
0003175257.tif 000007